(57)【要約】【課題】  壁パネルと天井パネルとの接続を長期にわたって確実に、かつ、手探りでの接続作業、及び、接続作業の完了を容易に確認できる。【解決手段】    天井パネル２の端部が立上げられてコ字状に折曲されて下向きに開口した溝状部３とされる。上記溝状部３の立上げ壁４に係合孔７を形成する。コ字状に折曲されて下向きに開口した接続クリップ８の外側の縦壁９の下端に内方に突出する支持突条１０を備えるとともに内側の縦壁１１の下端に内方に突出する係合突出部１２を備える。上記壁パネル１の接続受け部６に天井パネル２の溝状部３が嵌め込まれる。上記溝状部３に上から接続クリップ８が嵌め込まれる。上記接続クリップ８の外側の縦壁９の支持突条１０が上記接続受け部６の外壁下縁１３に係合するとともに接続クリップ８の内側の縦壁１１の係合突出部１２が上記溝状部３の立上げ壁４の係合孔７に嵌め込まれる。【選択図】図１
2008240373.tif 000002
【特許請求の範囲】
【請求項１】
ユニットルームの周囲を囲む壁パネルの上部に天井パネルを載せて接続するユニットルームの壁パネルと天井パネルとの接続構造であって、
天井パネルの端部が立上げられてコ字状に折曲されて下向きに開口した溝状部とされ、この溝状部の立上げ壁と立下げ壁との間の内幅は壁パネルの上端部に形成した接続受け部に嵌め込み可能な幅とされ、上記溝状部の立上げ壁に係合孔を形成し、コ字状に折曲されて下向きに開口した接続クリップの外側の縦壁の下端に内方に突出する支持突条を備えるとともに内側の縦壁の下端に内方に突出する係合突出部を備え、
上記壁パネルの接続受け部に天井パネルの溝状部が嵌め込まれ、上記溝状部に上から接続クリップが嵌め込まれ、上記接続クリップの外側の縦壁の支持突条が上記接続受け部の外壁下縁に係合するとともに接続クリップの内側の縦壁の係合突出部が上記溝状部の立上げ壁の係合孔に嵌め込まれていることを特徴とするユニットルームの壁パネルと天井パネルとの接続構造。  
【発明の詳細な説明】
【技術分野】
【０００１】
本発明は、ユニットルームの壁パネルと天井パネルとの接続構造に関し、詳しくは、壁パネルと天井パネルとの接続を長期にわたって確実に、かつ、手探りでの接続作業、及び、接続作業の完了を容易に確認できるようにしようとする技術に係るものである。
【背景技術】
【０００２】
従来、ユニットルームの周囲を囲む壁パネル１ａの上部に天井パネル２ａを載せて接続するユニットルームの壁パネルと天井パネルとの接続構造は、図２に示すように、壁パネル１ａと天井パネル２ａをビス２０にて固定した後、乾式目地材２１を挿入していた。
【０００３】
このような従来例において、壁パネル１ａと天井パネル２ａをビス２０にて接続するには、電動ドライバーを必要とするとともに電動ドライバーを使っての作業を考慮して、ビス固定部の上下方向の目地空間を大きく取る必要があった。この結果、ビス２０を隠す乾式目地材２１の幅が大きくなり、外観が低下する等という問題があった。
【０００４】
このような問題を解決する手段として、図３に示すように、天井パネル２ｂの端部にコ字状で下向きに開口した溝状部３ｂを形成し、溝状部３ｂを壁パネル１ｂの接続受け部６ｂに嵌め込み、その後、天井パネル２ｂの点検口からほぼ手探りで、溝状部３ｂに上から接続クリップ８ｂを嵌め込むことで、壁パネル１ｂと天井パネル２ｂを接続することが提案されている。（例えば、特許文献１参照）
上記特許文献１に示される従来例にあっては、接続クリップ８ｂは略Ｌ字状に形成され、かつ、接続クリップ８ｂの両端部に略Ｖ字状の係止突縁３０、３０を折り返して形成しているから、接続クリップ８ｂを天井パネル２ｂの溝状部３ｂに上から嵌めた接続状態において、略Ｖ字状の係止突縁３０が溝状部３ｂの立上げ壁５ｂに対して滑りやすく、同様に、接続クリップ８ｂの他端の係止突縁３０が壁パネル１ｂの金属フレーム（角パイプ）３１に対して滑りやすくなるのであり、このように、係止突縁３０、３０が滑りやすいから、地震等の大きな振動で接続クリップ８ｂが緩み、外れることがあり、また、天井パネル２ｂの点検口から作業者が腕を入れて手探りで接続クリップ８ｂを嵌め込む作業をおこなうときに、充分な接続状態を確認することができなく、充分な接続状態でないまま作業を完了し、後から、接続クリップ８ｂが緩み外れるおそれがあるという問題があった。
【特許文献１】特開平７−２７９３０１号公報
【発明の開示】
【発明が解決しようとする課題】
【０００５】
本発明はこのような問題を解決するためになされたものであり、壁パネルと天井パネルとの接続を長期にわたって確実に、かつ、手探りでの接続作業、及び、接続作業の完了を容易に確認することができ、接続クリップの緩みや外れが生じることがない壁パネルと天井パネルとの接続構造を提供することを課題とするものである。
【課題を解決するための手段】
【０００６】
請求項１に係る発明は、ユニットルームの周囲を囲む壁パネル１の上部に天井パネル２を載せて接続するユニットルームの壁パネルと天井パネルとの接続構造であって、
天井パネル２の端部が立上げられてコ字状に折曲されて下向きに開口した溝状部３とされ、この溝状部３の立上げ壁４と立下げ壁５との間の内幅Ｌは壁パネル１の上端部に形成した接続受け部６に嵌め込み可能な幅とされ、上記溝状部３の立上げ壁４に係合孔７を形成し、コ字状に折曲されて下向きに開口した接続クリップ８の外側の縦壁９の下端に内方に突出する支持突条１０を備えるとともに内側の縦壁１１の下端に内方に突出する係合突出部１２を備え、
上記壁パネル１の接続受け部６に天井パネル２の溝状部３が嵌め込まれ、上記溝状部３に上から接続クリップ８が嵌め込まれ、上記接続クリップ８の外側の縦壁９の支持突条１０が上記接続受け部６の外壁下縁１３に係合するとともに接続クリップ８の内側の縦壁１１の係合突出部１２が上記溝状部３の立上げ壁４の係合孔７に嵌め込まれていることを特徴とするものである。
【０００７】
このような構成によれば、コ字状に折曲されて下向きに開口した接続クリップ８の外側の縦壁９の支持突条１０が接続受け部６の外壁下縁１３に係合し、接続クリップ８の内側の縦壁１１の係合突出部１２が溝状部３の立上げ壁４の係合孔７に嵌め込まれているから、
例えば、天井パネル２の点検口１４から作業者が腕を入れて、壁パネル１の接続受け部６に天井パネル２の溝状部３を嵌め込み、その後、接続クリップ８をハンマー等で打って支持突条１０を壁パネル１の外壁下縁１３に係合するとともに係合突出部１２を溝状部３の係合孔７に嵌め込むことで、接続受け部６及び溝状部３をクリップすることができ、壁パネル１と天井パネル２とを確実に接続することができる。特に、接続クリップ８の係合突出部１２が溝状部３の係合孔７に嵌め込まれているから、接続クリップ８が滑ることがなく、施工後に接続クリップ８が外れることがなく、壁パネル１と天井パネル２との接続を長期にわたって安定して保つことができる。かつ、接続クリップ８の係合突出部１２が溝状部３の係合孔７に嵌め込まれるから、嵌め込み時に生じる節度感を得ることができ、作業者はこの節度感を感じることで、接続クリップ８が確実に施工されたことを感得することができ、点検口１４からの手探りの作業でありながら、正確な接続作業をおこなうことができる。
【発明の効果】
【０００８】
本発明は、壁パネルと天井パネルとの接続を長期にわたって確実に、かつ、手探りでの接続作業、及び、接続作業の完了を容易に確認できる。
【発明を実施するための最良の形態】
【０００９】
以下、本発明の実施の一形態を図面に基いて説明する。図１（ａ）は部分斜視図、同図（ｂ）は断面図である。
【００１０】
ユニットバスのようなユニットルームは、例えば、浴室の設置スペースに敷設された床パンの周囲に壁パネル１が立設され、隣接する壁パネル１、１が接続され、これら壁パネル１の上部に天井パネル２を載せ、壁パネル１と天井パネル２とを接続して構成される。壁パネル１及び天井パネル２には断熱材を貼っているものがある。天井パネル２の中央部には蓋付きの点検口１４が内部から開閉可能に設けられている。
【００１１】
例えば、複数枚を組み合わせた天井パネル２の四方の端部が立上げられてコ字状に折曲されて下向きに開口した溝状部３が形成されている。壁パネル１の上端部が上方に突出され、コ字状に折曲されて下向きに開口した接続受け部６が形成されている。溝状部３の立上げ壁４と立下げ壁５との間の内幅Ｌは壁パネル１の上端部に形成した接続受け部６に嵌め込み可能な幅とされている。溝状部３の立上げ壁４に係合孔７を形成している。係合孔７は立上げ壁４に適宜な間隔を隔てて複数形成している。
【００１２】
接続クリップ８は小片のものであり、コ字状に折曲されて下向きに開口して形成されている。接続クリップ８は外側の縦壁９の下端に内方に突出する支持突条１０を備えるとともに内側の縦壁１１の下端に内方に突出する係合突出部１２を備えている。
【００１３】
壁パネル１の接続受け部６に天井パネル２の溝状部３が嵌め込まれ、溝状部３に上から接続クリップ８が嵌め込まれ、接続クリップ８の外側の縦壁９の支持突条１０が接続受け部６の外壁下縁１３に係合するとともに接続クリップ８の内側の縦壁１１の係合突出部１２が上記溝状部３の立上げ壁４の係合孔７に嵌め込まれて、壁パネル１と天井パネル２が接続される。このような接続作業は、点検口１４より腕を入れて行われる。接続クリップ８はハンマーにて打ち込まれる。
【００１４】
このような構成によれば、コ字状に折曲されて下向きに開口した接続クリップ８の外側の支持突条１０が溝状部３の立下げ壁５の下縁及び接続受け部６の外壁下縁１３に係合し、接続クリップ８の係合突出部１２が溝状部３の立上げ壁４の係合孔７に嵌め込まれているから、例えば、天井パネル２の点検口１４から作業者が腕を入れて、壁パネル１の接続受け部６に天井パネル２の溝状部３を嵌め込み、その確認をし、その後、接続クリップ８をハンマー等で打って支持突条１０を壁パネル１の接続受け部６の外壁下縁１３に係合するとともに係合突出部１２を溝状部３の係合孔７に嵌め込むことで、壁パネル１の接続受け部６及び溝状部３をクリップすることができ、壁パネル１と天井パネル２とを確実に接続することができる。特に、接続クリップ８の係合突出部１２が溝状部３の係合孔７に嵌め込まれているから、接続クリップ８が滑ることがなく、施工後に接続クリップ８が外れることがなく、壁パネル１と天井パネル２との接続を長期にわたって安定して保つことができる。更に、接続クリップ８の係合突出部１２が溝状部３の係合孔７に嵌め込まれるから、嵌め込み時に生じる節度感を得ることができ、作業者はこの節度感を感じることで、接続クリップ８が確実に施工されたことを感得することができ、点検口１４からの手探りの作業でありながら、正確な接続作業をおこなうことができる。
【００１５】
ところで、接続クリップ８を外す場合には、例えば、溝状部３の天板１５と接続クリップ８との間にドライバーなどの工具を挿入し、梃子の原理で、接続クリップ８を引き上げるようにすることで、接続クリップ８を容易に外すことができるものである。また、接続クリップ８を外すのに際して、他の手段によってもよいものである。
【００１６】
尚、接続クリップ８の支持突条１０及び係合突出部１２の形状は種々変更することができるものである。
【図面の簡単な説明】
【００１７】
【図１】本発明の実施の一形態を示し、（ａ）は部分斜視図、（ｂ）は断面図である。
【図２】従来例の断面図である。
【図３】他の従来例の斜視図である。
【符号の説明】
【００１８】
１  壁パネル
２  天井パネル
３  溝状部
４  立上げ壁
５  立下げ壁
６  接続受け部
７  係合孔
８  接続クリップ
９  外側の縦壁
１０  支持突条
１１  内側の縦壁
１２  係合突出部
１３  外壁下縁
【図１】
2008240373.tif 000003
【図２】
2008240373.tif 000004
【図３】
2008240373.tif 000005